(57)【要約】【課題】  安価に製造可能であるシンプルな形状の剛体で耐久性に優れ、より一層使い易く、コンパクトに収納や持参することができ、しかも池等の中に落ちたゴルフボールも拾うことができるゴルフボール拾い具の提供をする。とする。【解決手段】  剛性材からなる短円筒形の口枠であって、その内径がゴルフボールの弾性によって、該ゴルフボールが填り保持されるべく該ゴルフボールの外径より僅かに小さくされた口枠と、当該口枠に一体的に連結された支持部材と、前記口枠と前記支持部材とからなる保持部に連結部と、当該連結部に回動自在にして取り付けられ、ゴルフクラブのグリップの先端の小孔に挿入される所定の長さの支持軸ピンと、を設ける。  また、前記保持部の内側底部の口枠中心位置に、前記ゴルフボールを所定位置で止める停止手段を設ける。【選択図】  図１
2007068934.tif 000002
【特許請求の範囲】
【請求項１】
剛性材からなる短円筒形の口枠であって、その内径がゴルフボールの弾性によって、該ゴルフボールが填り保持されるべく該ゴルフボールの外径より僅かに小さくされた口枠と、当該口枠に一体的に連結された支持部材と、前記口枠と前記支持部材とからなる保持部に連結部と、当該連結部に回動自在にして取り付けられ、ゴルフクラブのグリップの先端の小孔に挿入される所定の長さの支持軸ピンと、を設けたゴルフボール拾い上げ具。
【請求項２】
前記保持部の内側底部の口枠中心位置に、前記ゴルフボールを所定位置で止める停止手段を設けた請求項１に記載のゴルフボール拾い上げ具。
【発明の詳細な説明】
【技術分野】
【０００１】  この発明は、カップインしたゴルフボールまたはコース上の池等に落ちたゴルフボールを拾うためのゴルフボール拾い具に関するものである。
【背景技術】
【０００２】  従来、この種のゴルフボール拾い具としては、一般的には吸盤や弾性体による保持部材をゴルフクラブのグリップ端に、そのまま直に取付けたり、円筒状の接続部をはめ込むものが考えられているが、拾い具のゴルフボールの保持部が弾性体によるため、摩耗や変形が生じやすく、耐久性がないという大きな欠点が有った。
また、従来のものはカップインしたゴルフボールを拾うだけのものがほとんどで、池等の中に落ちたゴルフボールは拾うことができなかった。【０００３】  こうしたなかで、出願人は先に発明し、公開した、ゴルフボールの弾性による変形作用の活用による「剛性材からなる短円筒形の口枠であって、その内径がゴルフボールの弾性によって、当該ゴルフボールが填り保持されるべく当該ゴルフボールの外径より僅かに小さくされた口枠と、当該口枠に一体的に連結された円錐台と、前記口枠と前記円錐台とからなる保持部に着脱可能な連結部と、当該連結部に固着され、ゴルフクラブのグリップの先端の小孔に挿入される所定の長さの支持軸ピンと、を設けたもの」（特許文献１参照）がある。
しかし、その後の研究で先に公開した物には、次の欠点が有ることが分かり、更に研究して改良した。
１）口枠と円錐台を一体として、削り出し加工にて形成するので、製造コストが掛かりすぎる。
２）また、連結部が着脱式でピンの方向を変える度に分離して、所要の位置に再び組みつけをしなければならないのでめんどうである。
３）更に、口枠にゴルフボールが深めに入り込んだ場合、取り外し難い。
【特許文献１】特開  ２００３−３０５１４１
【発明が解決しようとする課題】
【０００４】  本発明は、前述の種々の欠点をなくし、問題を解決して、多くの要望に応えるためになされたもので、安価に製造可能であるシンプルな形状の剛体で耐久性に優れ、より一層使い易く、コンパクトに収納や持参することができ、しかも池等の中に落ちたゴルフボールも拾うことができるゴルフボール拾い具の提供を目的とする。
【課題を解決する為の手段】
【０００５】上記目的を達成するために、本発明のゴルフボール拾い具は、剛性材からなる短円筒形の口枠であって、その内径がゴルフボールの弾性によって、該ゴルフボールが填り保持されるべく該ゴルフボールの外径より僅かに小さくされた口枠と、当該口枠に一体的に連結された支持部材と、前記口枠と前記支持部材とからなる保持部に連結部と、当該連結部に回動自在にして取り付けられ、ゴルフクラブのグリップの先端の小孔に挿入される所定の長さの支持軸ピンと、を設けたゴルフボール拾い具である。
【０００６】  前記保持部の口枠中心位置の底部に、前記ゴルフボールを所定位置で止める停止手段を設けると、より好ましい。
【発明の効果】
【０００７】  本発明により、ゴルフボールの弾性による変形作用を活用したもので、拾い具のゴフボールの保持部本体は剛性材なので摩耗や変形が少なく、耐久性に優れている。
また、シンプルで独特な形状を成し、安価に製造できるとともに、口枠でゴルフボールを簡単に保持し、しかも保持部内にボールの停止手段（ストッパー）が有るので、ボールが必要以上に口枠に入り込まないし、口枠の支持部周囲が開放となっているのでボールが取り出しやすい。
【０００８】  更に、請求項２によれば口枠と軸ピンの角度が任意な無段階的に容易に変化させることができるので、拾うべきゴルフボールが有る位置に合わせて、あらゆる方向に口枠を変えて簡単、且つ確実にボールを拾い上げることができる。特に池の中などゴルフボールが落ちた位置の真上に行くこができない所にあるゴルフボールも拾い上げることができるという独特の効果を発揮する。
【０００９】  その結果、カップインしたゴルフボールを立ったままの姿勢で容易に取り出すことができる。従って、ボールを拾うときに、姿勢をかがめる必要がなく体の負担が少ないので楽に競技ができる。
また、カップに水が溜まっている場合でも、更には池の中でも手を汚さないでゴルフボールを取り出すこともできる。
【発明を実施するための最良の形態】
【００１０】  発明の実施の形態を実施例に基づき図面を参照して説明する。
図１は本発明の一実施例の斜視図で、図２は本発明の支持軸ピンを回動して角度を変えた状態の斜視図である。
図１および図２に示すように、アルミニウムやチタン等の剛性材からなるゴルフボールＢを捉える保持部１の端は短円筒形の口枠１１であって、その内径がゴルフボールＢの弾性によって、該ゴルフボールＢが填り保持されるべく該ゴルフボールＢの外径より僅かに小さくされた口枠１１と、当該口枠１１に一体的に連結された支持部１２と、前記口枠１１と前記支持部１２とからなる保持部１の外側に連結部２と、当該連結部２に回動自在にして取り付けられ、ゴルフクラブのグリップの先端の小孔に挿入される所定の長さの支持軸ピン３と、を設けたゴルフボール拾い具である。
前記保持部１の支持部１２は所定の幅の薄板で中央部に平面を有する山形状として両下端を口枠１に一体的に形成または取り付けられている。従って、支持部１２の両脇は充分な大きさの開放部１３となっている。この結果、口枠１に填り込んだゴルフボールＢを容易に手で取り外すことができ便利である。
尚、支持部１２は強度上や加工方法の関係で、一対の二本でなく、三本やそれ以上にしてもよい。【００１１】  前記連結部２は挟時部２１が下向きにコ文字形の溝を有して形成され、支持部１２の中央底部１３の外側に一体的に取り付ける。支持軸ピン３はゴルフクラブのグリップの先端の小孔に挿入できる軸部３２の直径で、ゴルフボールＢの直径の２倍余りの長さの丸棒の上端である嵌合部３３を、連結部２の挟時部２１のコ文字状の溝にはめ込むことができる厚さの板状にして、中央には回動軸２２用の貫通孔を有して形成し、先端のピン部３１を尖ったテーパー状としたものである。
前記連結部２の挟時部２１の溝には支持軸ピン３の上端の板状嵌合部３３をはめ込んで、両側面に貫通した孔に回動軸２２を貫通後、該回動軸２２の先端付近にある溝にクリップ２３にて抜け止めされている。
連結部２における挟時部２１の下向きにコ文字形の溝と支持軸ピン３の嵌合部３３との隙間を所定の加工精度に仕上げることによって、支持軸ピン３の角度を変化させる作動力（摩擦力）を調節したり、規制をして任意の位置で固定する節度をもたせることが可能である。
また、回動軸２２は上端に頭部を有して、下端付近にクリップ２３用の溝をつけた短ピン形のものであるが、その他所定の孔に合うボルトとナットでもよい。こうすれば締め付け力によって支持軸ピン３の動きを規制したり、調節することもできる。【００１２】  尚、本実施例は連結部２を保持部１と別体として、挟時部２１が下向きにコ文字形の溝を有して形成しているが、本発明は、この形態に限定するものではない。例えば、保持部１と連結部２を一体化したり、連結部２は簡単に支持軸ピン３と重合させて回動軸２２加締め等も考えられる。【００１３】そして、前記保持部１の内側の中央底部１３には、口枠１１の中心位置に、前記ゴルフボールＢを所定位置で止める停止手段であるストッパ４を設けておく。該ストッパ４は保持部１の内側の中央底部１３の中心にねじを切り、該ねじにストッパボルト４１をねじ込んで、所定の位置を決めた後、ロックナット４２によって固定しておく。
その他の方法として、連結部２の上端面中央に垂直にストッパボルト４１を一体的に設けて、保持部１の中央底部１３を貫通させて、ストッパボルト４１の先端の突き出した位置を決め、ロックナット４２で固定してもよい。【００１４】  図３は本発明の他の実施例の斜視図である。
図に示すように、口枠１１の円筒壁の一部を一対として対向的に延長して支持部１２の一部として、これに橋渡しした部材の中央に連結部２を設ける。該連結部２は支持部１２と一体化した円柱形に溝を設けたものでもよい。また、単に板状の突起部材等でもよい。
更に、図３では支持部１２の内側中央底部１３にストッパ４を設けているが、前記の対向的に延長した支持部１２の一部に橋渡しした部材を口枠１から所定の距離の位置に設定することによって、ストッパ４を省略することもできる。
その結果、極めて簡単な構造となり、且つコンパクトになって、携帯性が向上し、併せてコストの低減を図ることもできる。【００１５】  尚、本発明を更に、コンパクト性とコストを重要視する場合には、連結部２を省略したり、支持軸ピン３の軸部を短くするか省略して、保持部１とＴマーカ程度の長さの支持軸ピン３を直接連結して、全てを一体化することも考えられる。
また、材質は前記したような金属ばかりでなく、硬質プラスチックや木材等、場合によっては強化ガラス等でも実施することが可能である。【００１６】  保持部１は剛性材によって形成されているが、短円筒形の口枠はゴルフボールの外径より僅かに小さい内径のため、ゴルフボールの弾性によってボールが僅かに変形して口枠に填り、内側はストッパボルトに当たるのでゴルフボールが保持部から略半球出た最適な位置で保持される。【００１７】  前記の場合、短円筒形の口枠１１はゴルフボールＢの外径より０．２ｍｍ程度小さい内径とするとよい。
こうしておけば、ゴルフボールＢはＪＩＳで定められた一定の寸法精度内に生産されているので、著しい摩耗や変形がない限り容易に確実に保持することができる。【００１８】  本発明を使用するときは、ゴルフクラブのグリップの先端のＴマーカ差し込み用の小孔に連結部２の支持軸ピン３を挿入することによって、当ボール拾い具全体をゴルフクラブの先端に固定して、ゴルフクラブを逆さにした状態で保持部１の口枠１１をゴルフボールＢに押し当てて、ゴルフボールＢを保持して引き上げるだけでカップインしたゴルフボールをホールカップから拾い上げることができる。【００１９】  また、保持部１を連結部２の回動軸２２によって任意な角度に変えれば、池など斜めの位置にあるゴルフボール等、垂直から水平の位置までどんな状態においてもゴルフボールを拾うことができる。
尚、必要に応じて、ＴマーカはＴマーカを差し込むことができる孔を有する各種の取り付け手段を保持部１に付設すること等を講じることは容易である。
【図面の簡単な説明】
【００２０】
【図１】は本発明の一実施例の斜視図である。
【図２】は本発明の支持軸ピンを回動して角度を変えた状態の斜視図である。
【図３】は本発明の他の実施例の斜視図である。
【符号の説明】
【００２１】  １  保持部
１１  口枠
１２  支持部
１３  中央底部
１４  開放部
２  連結部
２１  挟時部
２２  回動軸
２３  クリップ
３  支持軸ピン
３１  ピン部
３２  軸部
３３  嵌合部
４  ストッパ
４１  ストッパボルト
４２  ロックナット
Ｂ  ゴルフボール
【図１】
2007068934.tif 000003
【図２】
2007068934.tif 000004
【図３】
2007068934.tif 000005